(57)【要約】【課題】裏面にラミネート加工をするカードを作成するフォーム台紙にカードを収容するケースを形成した台紙付きカードを提供すること。【解決手段】フォーム台紙１０に形成した切り目１１の内側をカード用紙１２に区画形成する。フォーム台紙１０の裏面のカード用紙１２の対応位置に、ラミネートフィルム１３と剥離台紙１４を剥離可能な擬似接着によって接着したラミネート加工部材１６のラミネートフィルム１３を強粘着剤により接着する。ラミネート加工部材１６の剥離台紙１４に、ケースフィルム２１の周縁を強粘着剤によって接着しいずれか一方の接着部に沿って切込み２４を形成してケース部材２０を形成する。【選択図】　　　図３
0003098907.tif 000002
【実用新案登録請求の範囲】
【請求項１】
フォーム台紙（１０）に形成した切り目（１１）の内側をカード用紙（１２）に区画形成し、上記フォーム台紙の裏面の上記カード用紙に対応する位置にラミネートフィルムと剥離台紙を剥離可能な擬似接着によって接着したラミネート加工部材（１６）の当該ラミネートフィルムを強粘着剤により接着し、上記ラミネート加工部材の剥離台紙にケースフィルムの周縁を強粘着剤によって額縁状に接着し、いずれか一方の接着部に沿って切込み（２４）を形成してケース部材（２０）を形成したことを特徴とする台紙付きカード。
【請求項２】
ケース部材（２００）がカード用紙に対応して形成したラミネート加工部材（１１６）に隣接したフォーム台紙（１００）に設けられたことを特徴とする請求項１に記載の台紙付きカード。
【請求項３】
ケース部材（２０，２００）に形成した切込み（２４，２２４）が額縁状に接着した接着剤の縁部よりも若干内側に形成されていることを特徴とする請求項１又は２に記載の台紙付きカード。
【考案の詳細な説明】
【０００１】
【考案の属する技術分野】
本考案は、台紙付きカードに関しており、さらに詳しくは、台紙から剥がしたカードを収容するケースを台紙上に備えた台紙付きカードに関している。
【０００２】
【従来の技術】
例えば、近年になって、健康保険証を資格者１人に１枚ずつ発行する個人カード形式が採用されてきた。
【０００３】
一般に普及しているこの種の個人カードは、紙製のものであって、カードを台紙に貼付し、カード並びに台紙の表面に住所氏名、その他の情報を印字すると共に、カードを台紙から剥がした時にカード裏面にラミネート加工が施されているものが多い。
【０００４】
【特許文献１】
登録実用新案第３０４７５４０号公報
【０００５】
特許文献１は、台紙付きカードであって、それ以前に知られた従来技術を改良したものであるが、特許文献１の図４に従来技術が記載されている。
【０００６】
本出願に添付した図７は、特許文献１の図４に記載された従来技術を示しており、台紙付きカードの断面図である。図において、台紙付きカードは、用紙本体１に切り目２によってカード用紙３が切り離し可能に設けられている。また、用紙本体１の裏面に、カード用紙３よりも大きな２枚の第１及び第２のプラスチックフィルム４，５が、剥離可能に接着された擬似接着部６によって接着された状態で設けられている。
【０００７】
上記プラスチックフィルムのうち、第１のプラスチックフィルム４は、用紙本体１に強粘着剤７によって接着されている。また、第１及び第２のプラスチックフィルム４，５を接着した擬似接着部６の接着力は、用紙本体１と第１のプラスチックフィルム４を接着した接着力よりも弱いが、通常の取り扱いでは擬似接着部６が剥がれたりすることはない。
【０００８】
用紙本体１およびカード用紙３の表面に必要事項を印字した後、切り目２からカード用紙３を切り離すと、第１及び第２のプラスチックフィルム４，５の擬似接着部６が剥がれ、取り出されたカード８は、裏面に第２のプラスチックフィルム５が接着されてラミネート加工されたものとなる。
【０００９】
健康保険証が、家族全員を１枚の証に記載されていた時は、保険証をケースに入れて保管していることがあったので、各個人に１人ずつ発行されるようになっても、保険証をケースに入れて所持したいという要望がある。
【００１０】
【考案が解決しようとする課題】
本考案が解決しようとする課題は、裏面にラミネート加工されたカードを作成する台紙付きカードにおいて、台紙から剥がしたカードを収容するケースを台紙上に形成した台紙付きカードを提供するものである。
【００１１】
【課題を解決するための手段】
解決手段の第１は、フォーム台紙に形成した切り目の内側をカード用紙に区画形成し、上記フォーム台紙の裏面の上記カード用紙に対応する位置にラミネートフィルムと剥離台紙を剥離可能な擬似接着によって接着したラミネート加工部材の当該ラミネートフィルムを強粘着剤により接着し、上記ラミネート加工部材の剥離台紙にケースフィルムの周縁を強粘着剤によって額縁状に接着し、いずれか一方の接着部に沿って切込みを形成してケース部材を形成したことを特徴とするものである。
また、ケース部材がカード用紙に対応して形成したラミネート加工部材に隣接したフォーム台紙に設けられたことを特徴とする。
さらにまた、ケース部材に形成した切込みが額縁状に接着した接着剤の縁部よりも若干内側に形成されていることを特徴とする。
【００１２】
【考案の実施の形態】
図１は台紙付きカードの平面、図２は同裏面、図３は同断面、図４はカード並びにカードをケースに収容した状態、図５は他の実施形態による台紙付きカードの裏面、図６は同断面を示している。
【００１３】
図１から３において、１０はフォーム台紙であり、切り目１１によりカード用紙１２を区画形成している。また、ラミネートフィルム１３と剥離台紙１４を剥離可能な擬似接着層１５によって接着したラミネート加工部材１６を形成し、該ラミネート加工部材１６のラミネートフィルム１３を強粘着剤１７によりフォーム台紙１０の裏面のカード用紙１２に対応する位置に接着している。
【００１４】
上記ラミネート加工部材１６は、カード用紙１２よりも大きく形成してあり、ラミネート加工部材１６をフォーム台紙１０に接着した時、当該ラミネート加工部材１６の周縁がカード用紙１２を区画する切り目１１の外側になるようにしている。なお、実施形態において、ラミネートフィルム１３は透明フィルムを使用し、剥離台紙１４は上質紙またはフィルムを使用している。
【００１５】
上記切り目１１は、フォーム台紙１０にラミネート加工部材１６を接着してから形成するものであって、フォーム台紙１０およびラミネートフィルム１３を貫通し剥離台紙１４に達する深さに形成する。
【００１６】
フォーム台紙１０の裏面に貼付されたラミネート加工部材１６の剥離台紙１４にケース部材２０が設けられる。ケース部材２０は、剥離台紙１４と同じ大きさのフィルム２１の周縁を強粘着剤２２によって接着して接着部分を額縁形状に形成し、さらに裏面視で、横長となる左右いずれか一方の接着部２３の近傍に切込み２４を形成したものである。
【００１７】
ケース部材２０は、カードを収容するものであるから、額縁形状に塗布する強粘着剤２２は切り目１１の外側に塗布されなければならない。また、切込み２４は、裏面視においてフォーム台紙１０に形成した切り目１１の線よりも若干内側に形成している。
【００１８】
図１は、フォーム台紙１０が連続して形成されているものであって、連続して印字した後、各フォーム台紙１０をミシン目１８によって分離できるようになっている。ただし、フォーム台紙１０が１枚ずつ切り離されていて、１枚ずつ印字することができることは勿論である。
【００１９】
図１において、カード用紙１２およびフォーム台紙１０の表面に各用紙に必要な事項を印字する。カード用紙１２には、カード３０の種類、氏名、固有の番号などのカード情報３１を印字し、フォーム台紙１０には、カード名義人の住所氏名などを印字する。
【００２０】
図３Ａは、カード用紙１２にカード情報３１が印字された状態を示しており、切り目１１の部分を曲げてカード用紙１２の隅部を浮かせ、該カード用紙１２を擬似接着層１５から剥がす。カード用紙１２は、フォーム台紙１０から分離すると裏面にラミネートフィルム１３が接着されたカード３０となる。
【００２１】
また同時に、擬似接着層１５からケース部材２０を剥がす。図４Ａに示すように、フォーム台紙１０から分離されたケース部材２０は、一方の端に切込み２４が形成されているから、カード３０を切込み２４からケース部材２０内に差し込み、図４Ｂに示すように、カード３０をケース部材２０に収容する。図２において、カード部材２０に形成した切り込み２４は、接着部２３よりも僅かに内側に形成しているから、カード３０をケース部材２０に収容した時、カード３０の端がケース部材２０から突出しているので、カード３０の取出しが容易となる。
【００２２】
次に、図５，６により他の実施形態を説明する。図５は、フォーム台紙１００の裏面に形成したラミネート加工部材１１６に隣接してケース部材２００を設けたものを示している。ラミネート加工部材１１６は、剥離台紙１１４の表面にケース部材２００を設けていない点で先の実施形態と異なるが、他の構成は同じである。
【００２３】
また、ケース部材２００の構成も先の実施形態と変わらないが、剥離台紙１１４をフォーム台紙１００に剥離可能に接着するため、ラミネート加工部材１１６を設けた位置に隣接してフォーム台紙１００に第２のフィルム２２５を接着し、該第２のフィルム２２５にケース部材２００を接着した剥離台紙１１４を剥離可能な擬似接着層１１５により接着したものである。
【００２４】
本実施形態では、ケース部材２００に形成する切込み２２４の位置なども先の実施形態と変わらない。
【００２５】
【考案の効果】
本考案は、カード用紙の裏面にラミネート加工を施すためのフィルム並びに剥離台紙からなるラミネート部材のうち、通常はフォーム台紙と共に廃棄してしまう剥離台紙の裏面に、もう１枚のフィルムを接着してケース部材を形成したものであるから、カード用紙をフォーム台紙から剥がした時、剥離台紙をフォーム台紙から剥がせば、当該カードのケースとして利用できるものである。
【００２６】
また、本考案は、カードにラミネート加工を施すために設けたラミネート加工部材に隣接してケース部材を設けることができるので、上記の場合と同様に、フォーム台紙上にカードを収容するケース部材を備えることができるものとなる。
【図面の簡単な説明】
【図１】台紙付きカードを示す平面図。
【図２】図１に示す台紙付きカードの裏面図。
【図３】図１に示す台紙付きカードのカード用紙部分を示しており、Ａは断面図、Ｂはカードとケースをフォーム台紙から分離した状態を示す断面図。
【図４】カードとケースを示しており、Ａはカードとケースの斜視図、Ｂはカードをケースに収容した状態を示す斜視図。
【図５】他の実施形態による台紙付きカードを示す裏面図。
【図６】図５に示す台紙付きカードを示しており、Ａはラミネート部材を含む断面図、Ｂはケース部材を含む断面図。
【図７】従来技術を示す断面図。
【符号の説明】
１０　フォーム台紙
１１　切り目
１２　カード用紙
１３　ラミネートフィルム
１４　剥離台紙
１５　擬似接着層
１６　ラミネート加工部材
１７　強粘着剤
１８　ミシン目
２０　ケース部材
２１　ケースフィルム
２２　強粘着剤
２３　接着部
２４　切込み
３０　カード
３１　カード情報
【図１】
0003098907.tif 000003
【図２】
0003098907.tif 000004
【図３】
0003098907.tif 000005
【図４】
0003098907.tif 000006
【図５】
0003098907.tif 000007
【図６】
0003098907.tif 000008
【図７】
0003098907.tif 000009